(57)【要約】【課題】放熱手段として、金属片を金属片収容孔に配置しても金属片が金属片収容孔の開口端から突出したり、寸足らずにならず、しかもクラックの発生もないプリント配線板の提供。【解決手段】電子部品からの発熱を、当該電子部品の直下に配置した金属片によって、当該電子部品実装側面と反対の面側に配置された放熱体へと伝熱させるプリント配線板であって、少なくとも、絶縁基板と、当該絶縁基板を貫通する金属片収容孔と、当該金属片収容孔内に接着剤を介して固定配置されたヘッダー工法形成金属片からなり、且つ、当該金属片の、電子部品接続側露出面が、金属片収容孔の電子部品実装面側開口端の位置以下の位置にあるとともに、当該金属片の放熱体接続側露出面が、金属片収容孔の放熱体配置面側開口端の位置よりも凹んだ位置にあることを特徴とするプリント配線板。【選択図】図１
2018157059.tif 000002
【特許請求の範囲】
【請求項１】
電子部品からの発熱を、当該電子部品の直下に配置した金属片によって、当該電子部品実装側面と反対の面側に配置された放熱体へと伝熱させるプリント配線板であって、少なくとも、絶縁基板と、当該絶縁基板を貫通する金属片収容孔と、当該金属片収容孔内に接着剤を介して固定配置されたヘッダー工法形成金属片からなり、且つ、当該金属片の、電子部品接続側露出面が、金属片収容孔の電子部品実装面側開口端の位置以下の位置にあるとともに、当該金属片の放熱体接続側露出面が、金属片収容孔の放熱体配置面側開口端の位置よりも凹んだ位置にあることを特徴とするプリント配線板。
【請求項２】
当該金属片収容孔の電子部品実装面側開口端の位置以下の位置が、電子部品との半田接続性に影響が出ない範囲の深さであるとともに、当該金属片収容孔の放熱体配置面側開口端の位置よりも凹んだ位置が、放熱体との間の絶縁性及び所望とする放熱性を確保できる範囲の深さであることを特徴とする請求項１に記載のプリント配線板。
【請求項３】
電子部品からの発熱を、当該電子部品の直下に配置した金属片によって、当該電子部品実装側面と反対の面側に配置された放熱体へと伝熱させるプリント配線板の製造方法であって、少なくとも、絶縁基板に金属片収容孔を形成する工程と、当該金属片収容孔内に配置した際に、金属片の電子部品接続側露出面が、金属片収容孔の電子部品実装面側開口端の位置以下の位置となるとともに、当該金属片の放熱体接続側露出面が、金属片収容孔の放熱体配置面側開口端の位置よりも凹んだ位置となる長さの金属片をヘッダー工法で形成する工程と、当該金属片を金属片収容孔内に配置した際に、当該金属片の放熱体接続側露出面を、金属片収容孔の放熱体配置面側開口端の位置よりも凹んだ位置に配置できる高さの突起部を有する冶具を用意する工程と、当該絶縁基板における放熱体配置側面に、金属片収容孔と突起部との位置を合わせた状態で当該冶具を配置する工程と、当該冶具の突起部を介して当該金属片を金属片収容孔内に挿入する工程と、当該金属片収容孔と金属片との隙間に接着剤を供給して、当該金属片を金属片収容孔内に固定配置する工程とを有することを特徴とするプリント配線板の製造方法。
【請求項４】
当該金属片収容孔の電子部品実装面側開口端の位置以下の位置が、電子部品との半田接続性に影響が出ない範囲の深さであるとともに、当該金属片収容孔の放熱体配置面側開口端の位置よりも凹んだ位置が、放熱体との間の絶縁性及び所望とする放熱性を確保できる範囲の深さであることを特徴とする請求項３に記載のプリント配線板の製造方法。
【発明の詳細な説明】
【技術分野】
【０００１】
本発明は、電子部品からの発熱を、当該電子部品の直下に配置した金属片によって、当該電子部品実装側面との反対の面側に配置された放熱体へと伝熱させるプリント配線板とその製造方法に関するものである。
【背景技術】
【０００２】
電子部品（例えば、「ＦＥＴ」や「ＭＯＳＦＥＴ」などの、発熱量の多い表面実装型部品）からの発熱を効率よく外部に放熱させる手段として、プリント配線板に実装する電子部品の直下に、貫通めっきスルーホールからなるサーマルビアを複数設け、当該プリント配線板の裏面側に配置された放熱体（放熱パターンやヒートシンク）などを介して外部に放熱させるという手段が、従来、一般的に利用されてきた。
【０００３】
しかし、機器の高機能化、高性能化の進展により、電子部品からの発熱量が、従来の物とは比べ物にならないほど多くなってきたため、上記貫通めっきスルーホールからなるサーマルビアでは、処理しきれなくなってきた（即ち、電子部品を正常に動作させるだけの放熱処理ができなくなってきた）。
そこで近年では、上記サーマルビアに代えて、熱容量の大きい金属片（例えば「銅片」）を埋め込むという手段が検討報告されている（例えば、特許文献１参照）。
【０００４】
上記「金属片」を埋め込む構成のプリント配線板の一例を、図６に示したプリント回路基板Ｐｃの概略断面図を用いて説明する。
なお、文中（本発明の構成を説明する文も含む）に、「プリント配線板」と「プリント回路基板」という用語が登場するが、説明の便宜上、電子部品と放熱体を実装及び配置する前のものを「プリント配線板」、これらを実装及び配置した後のものを「プリント回路基板」と使い分けて表記している。
また、金属片収容孔に金属片を収容する際の説明において、「電子部品実装面側開口端」、「放熱体配置面側開口端」という用語が登場するが、ここでいう「開口端」とは、「絶縁基板」に設けられた「金属片収容孔」の開口端部のみを意味するものではなく、「金属片収容孔開口端」の周囲を囲うように設けられる、例えば図５及び図６に示される「外層配線パターン３ａ，３ｂ」や「ソルダーレジスト７」が、「電子部品や放熱体」と「金属片収容孔」の開口端部との間に存在する場合には、当該「外層配線パターン３ａ，３ｂ」や「ソルダーレジスト７」によって形成された開口端部を意味する。尚、図５中、符号１０は接着剤、８Ａは電子部品実装面側開口端の位置、８Ｂは放熱体配置面側開口端の位置を示している。
【０００５】
図６において、プリント回路基板Ｐｃは、少なくとも、絶縁基板１と、当該絶縁基板１の一方の面に実装された電子部品１１と、当該絶縁基板１の他方の面に配置された放熱体（ヒートシンクなど）１４と、当該絶縁基板１を貫通する金属片収容孔８と、当該金属片収容孔８内に配置され、且つ、電子部品接続側露出面９９Ａ側では半田１３を介して電子部品１１と接続されるとともに、放熱体接続側露出面９９Ｂ側では熱伝導性接着剤（熱伝導性及び絶縁性のあるグリスやシートなど）１５を介して放熱体１４と接続される金属片９９と、当該絶縁基板１における電子部品実装側面Ａであって、当該金属片収容孔８を囲うように形成されたソルダーレジスト７とを備えた構成からなる。尚、図中に示した符号１２は、電子部品１１から引き出された端子であり、プリント配線板Ｐｗに設けられた実装パッド３ｃに半田を介して接続されている。
【０００６】
当該金属片収容孔８内に配置されている金属片９９としては、電子部品接続側露出面９９Ａ側に、半田付け工程時に半田が流出するのを抑制するための凹部９９ａを設けたものが用いられているとともに、当該凹部９９ａと反対側、即ち凸部９９ｂ側の面を、絶縁基板１の放熱体配置側面Ｂ（放熱体１４を配置する側の面）と同一平面になるように配置されている。
【０００７】
ところで、この種のプリント回路基板に使用されるプリント配線板を製造する上で最も注意が必要となるのが、金属片収容孔内に配置される金属片のＺ軸方向の飛び出しである。
例えば、図６に示すプリント配線板Ｐｗにおいて、電子部品接続側露出面９９Ａが金属片収容孔８の周囲を囲うように形成されたソルダーレジスト７よりも突出してしまった場合には、当該電子部品１１の実装不良が発生する懸念があり、また、放熱体接続側露出面９９Ｂが縁基板１の下面（放熱体配置側面Ｂ）よりも突出してしまった場合には、金属片９９と金属性の放熱体１４との距離が狭まり、絶縁性を有する熱伝導性接着剤１５が薄くなってしまうため、金属片９９と放熱体１４との間の絶縁信頼性を確保できなくなるという懸念があるからである。
【０００８】
然るところ、図６に示すプリント配線板Ｐｗには、実際上以下のような問題があった。
【０００９】
即ち、金属片収容孔８内に配置する金属片９９として、金属板を金型プレスで打ち抜いたものを用いているため（それ故に、金属片９９が凹部９９ａと凸部９９ｂを有する形状になる）、プレス金型の磨耗が進んだ場合に、寸法精度の高い金属片９９が製造できなくなり、金属片収容孔８の開口端（電子部品実装面側開口端の位置８Ａや放熱体配置面側開口端の位置８Ｂ）から金属片９９が突出したり、あるいは寸足らずのものが配置されたりする危険性があった。
而して、金属片９９が金属片収容孔８の開口端から突出した場合は、上記で説明したとおりの問題が発生し、他方、寸足らずのものが配置された場合には、電子部品１１と金属片９９を熱的に接続する半田１３にボイドが発生したり、金属片９９と放熱体１４との距離が遠くなることによって、所望とする放熱効果が得られなくなるのが実状であった。
【００１０】
また、金属板を金型プレスで打ち抜く場合、絶縁基板１の板厚が変わるごとに、その厚さに合わせた金属板を用意しなければならないため、手間やコストがかかるのが実状であった。
【００１１】
この他、特許文献１に示されるプリント配線板Ｐｗでは、金属片９９の配置方法として、「圧入方式」を採用していることも懸念点として挙げられる。
即ち、「圧入方式」は、金属片収容孔８の孔径よりも小さい径で、且つ、当該金属片収容孔８のＺ軸方向の寸法よりも長い金属片９９を塑性変形（圧力による変形）させることで、金属片９９を金属片収容孔８内に固定させる（即ち、金属片収容孔８の内壁をＸ−Ｙ方向に押し広げる力で固定させる）ものなので、絶縁基板１にクラックを発生させる懸念があるからである。
【００１２】
更に、特許文献１に示されるプリント配線板では、「金属片９９の凸部９９ｂ側の面と絶縁基板１の下面（放熱体配置側面Ｂ）が同一平面になるように配置する」としていることも懸念点として挙げられる。
その理由は、絶縁基板１（プリント配線板Ｐｗ）に大きな反りが発生していた場合（図７に示した「反り部」参照）、金属片９９の放熱体接続側露出面９９Ｂが、金属片収容孔８の放熱体配置面側開口端の位置８Ｂから突出してしまう可能性があり、上記で説明したような、放熱体１４との間の絶縁信頼性が確保できなくなるという危険性があるからである。
【先行技術文献】
【特許文献】
【００１３】
【特許文献１】特許第５８８５６３０号公報
【発明の概要】
【発明が解決しようとする課題】
【００１４】
本発明は、上記の如き従来の問題と実状に鑑みてなされたものであり、放熱手段として、金属片収容孔に金属片を配置した場合においても、当該金属片が金属片収容孔の開口端から突出したり、あるいは寸足らずになったりすることがなく、さらに、当該金属片の挿入により絶縁基板にクラックが発生していないプリント配線板と、このような絶縁信頼性及び放熱性に優れたプリント配線板を得るための製造方法を提供することを課題としている。
【課題を解決するための手段】
【００１５】
本発明者は、上記の課題を解決すべく種々研究を重ねた結果、寸法精度の高いヘッダー工法で製造された金属片を用い、且つ、当該金属片を接着剤で固定すれば極めて良い結果が得られることを見い出し、本発明を完成した。
【００１６】
即ち、本発明は、電子部品からの発熱を、当該電子部品の直下に配置した金属片によって、当該電子部品実装側面と反対の面側に配置された放熱体へと伝熱させるプリント配線板であって、少なくとも、絶縁基板と、当該絶縁基板を貫通する金属片収容孔と、当該金属片収容孔内に接着剤を介して固定配置されたヘッダー工法形成金属片からなり、且つ、当該金属片の、電子部品接続側露出面が、金属片収容孔の電子部品実装面側開口端の位置以下の位置にあるとともに、当該金属片の放熱体接続側露出面が、金属片収容孔の放熱体配置面側開口端の位置よりも凹んだ位置にあることを特徴とするプリント配線板により上記課題を解決したものである。
【００１７】
また、本発明は、電子部品からの発熱を、当該電子部品の直下に配置した金属片によって、当該電子部品実装側面と反対の面側に配置された放熱体へと伝熱させるプリント配線板の製造方法であって、少なくとも、絶縁基板に金属片収容孔を形成する工程と、当該金属片収容孔内に配置した際に、金属片の電子部品接続側露出面が、金属片収容孔の電子部品実装面側開口端の位置以下の位置となるとともに、当該金属片の放熱体接続側露出面が、金属片収容孔の放熱体配置面側開口端の位置よりも凹んだ位置となる長さの金属片をヘッダー工法で形成する工程と、当該金属片を金属片収容孔内に配置した際に、当該金属片の放熱体接続側露出面を、金属片収容孔の放熱体配置面側開口端よりも凹んだ位置に配置できる高さの突起部を有する冶具を用意する工程と、当該絶縁基板における放熱体配置側面に、金属片収容孔と突起部との位置を合わせた状態で当該冶具を配置する工程と、当該冶具の突起部を介して当該金属片を金属片収容孔内に挿入する工程と、当該金属片収容孔と金属片との隙間に接着剤を供給して、当該金属片を金属片収容孔内に固定配置する工程とを有することを特徴とするプリント配線板の製造方法により上記課題を解決したものである。
【発明の効果】
【００１８】
本発明によれば、金属片収容孔に配置する金属片として、加工精度の高い（即ち、寸法精度の高い）ヘッダー工法で加工された金属片を用いているため、当該金属片収容孔に金属片を配置した場合においても、当該金属片が金属片収容孔から突出したり、あるいは寸足らずになったりするといった問題が生じない。
しかも、当該金属片の固定方法として、金属片収容孔の内壁と金属片との間にできる隙間に、接着剤を流し込むという方法を採用したため、圧入方式の際に問題となっていたクラックが発生することもない。
【図面の簡単な説明】
【００１９】
【図１】本発明プリント配線板を用いたプリント回路基板の概略断面図。
【図２】（ａ）〜（ｃ）は、本発明プリント配線板の製造例を示す概略断面工程図。
【図３】（ｄ）〜（ｆ）は、図２に続く概略断面工程図。
【図４】本発明プリント配線板における金属片の固定状態を示す概略平面図。
【図５】本発明プリント配線板における金属片収容孔の開口端の位置を示す概略断面図。
【図６】従来のプリント回路基板の概略断面図。
【図７】従来のプリント配線板において、絶縁基板に反り部が発生した例を示す要部概略断面図。
【発明を実施するための形態】
【００２０】
以下本発明プリント配線板の実施の形態を、図１を用いて説明する。尚、説明の便宜上、金属片収容孔に金属片を収容する前の段階のものを「絶縁基板」、収容後のものを「プリント配線板」として説明を進めて行く。
【００２１】
図１において、ＰＷはプリント配線板でその絶縁基板１は、３層のコア絶縁層１００と、当該３層のコア絶縁層１００の境界面及び表裏面に形成された内層配線パターン２と、当該３層のコア絶縁層１００の各面に形成されている内層配線パターン２を上下方向で接続するベリードホール４とからなるコア基板１ａと、当該コア基板１ａの表裏面に１層ずつ積層された層間絶縁層１０１と当該層間絶縁層１０１のそれぞれの外層側に形成された外層配線パターン３ａ、３ｂや実装パッド３ｃとからなるビルドアップ層１ｂと、当該コア基板１ａと当該コア基板１ａの表裏に積層されているビルドアップ層１ｂとを貫通し、且つ、当該コア基板１ａとビルドアップ層１ｂに形成さている内層配線パターン２及び外層配線パターン３ａ、３ｂを上下方向で接続する貫通めっきスルーホール５と、当該外層配線パターン３ｂと当該外層配線パターン３ｂに隣接する内層配線パターン２とを接続するブラインドバイアホール６と、３層のコア絶縁層１００と当該３層のコア絶縁層１００の表裏面に積層されている層間絶縁層１０１とを貫通し、且つ、電子部品１１が実装される直下の位置に形成された金属片収容孔８と、当該外層配線パターン３ａ、３ｂを保護するソルダーレジスト７とから構成されている。
【００２２】
斯かる絶縁基板１において、９は金属片で、ヘッダー工法で形成されており、その電子部品接続側露出面９Ａが、電子部品実装面側開口端の位置８Ａ以下の位置、より具体的には電子部品実装側面Ａの外層配線パターン３ａの外側面と同一面かそれより下の位置にあるとともに、その放熱体接続側露出面９Ｂが、放熱体配置面側開口端の位置８Ｂより凹んだ位置、より具体的には放熱体配置側面Ｂの層間接続層１０１の外側面よりも電子部品実装面側開口端の位置８Ａ側に凹んだ位置にある状態で、当該金属片９と金属片収容孔８の内壁との隙間１６に供給された接着剤１０を介して当該金属片収容孔８内に固定配置され、プリント配線板ＰＷが構成されている。
【００２３】
当該プリント配線板ＰＷの一方の面に電子部品１１が半田１３を介して実装されているとともに、他方の面に放熱体１４が熱伝導性接着剤１５を介して配置されてプリント回路基板ＰＣが構成されている。尚、図１中、符号１２は電子部品１１から引き出された端子で、実装パッド３ｃに半田を介して接続されている。
【００２４】
続いて、上記プリント配線板ＰＷの製造方法を図２及び図３を用いて説明する。
【００２５】
まず、周知の方法により、３層のコア絶縁層１００の境界面及び表裏面に内層配線パターン２を形成するとともに、各面に形成された内層配線パターン２を上下方向で接続するベリードホール４を形成することによって、コア基板１ａを得る。
次いで、当該コア基板１ａの表裏面に、層間絶縁層１０１と金属箔１０２とからなるビルドアップ層１ｂを積層することによって、図２(ａ)に示した６層構造の中間基板を得る。
【００２６】
コア絶縁層１００、１００ａとしては、材料的には一般的に用いられるガラスクロスなどの補強繊維にエポキシ樹脂などの熱硬化性樹脂を含浸させたものが利用でき、中央に配置される両面板を最初に形成する関係上、ある程度の厚みが必要（製造ラインに流せるだけの強度が必要）となることから、中央に配置するコア絶縁層１００を５００〜７００μｍ、この上下に配置するコア絶縁層１００ａを２００〜３００μｍのものを用いるようにする。
【００２７】
内層配線パターンを形成するための金属箔においても、一般的な銅箔を用いることができ、その厚みとしては、中央に配置されるコア絶縁層１００に５０〜１００μｍ、この上下に配置されるコア絶縁層１００ａに１８〜３５μｍのものを用いる。
【００２８】
ベリードホール４の形成方法としては、ドリルなどの孔明け加工により、切径φ０．２５〜０．３５ｍｍの貫通孔を穿孔し、デスミア処理後、当該貫通孔に対して、めっき厚２５μｍ設定のめっき処理（例えば「銅めっき処理」）を行うことによって、形成することができる。
【００２９】
層間接続層１０１及び金属箔１０２としては、コア基板１ａに用いるものと同じものが使用でき、その厚さは、例えば、層間絶縁層１０１が６０〜１００μｍ、金属箔１０２が９〜１８μｍである。
【００３０】
次に、図２（ｂ）に示したように、ブラインドバイアホール６の形成予定部にレーザー（例えば「炭酸ガスレーザー」）を照射して、トップ側の切径がφ０．１５〜０．２５ｍｍの非貫通孔６ａを穿孔するとともに、貫通めっきスルーホール５の形成予定部にドリル加工を行うことによって、切径がφ０．２５〜０．３５ｍｍの貫通孔５ａを穿孔する。
なお、ドリルで貫通孔５ａを穿孔する際に、例えば、切径がφ３．５〜４．５ｍｍの金属片収容孔８も一緒に穿孔する。
【００３１】
次に、デスミア処理で貫通孔５ａ、非貫通孔６ａ、金属片収容孔８の各孔内をクリーニングした後、ビアフィリング用のめっき浴を用いた電解めっき処理、ハイスロー浴を用いた電解めっき処理を順次行うことによって、各孔内を含む中間基板全体にめっき１０３（例えば、厚さが２５μｍの「銅めっき」）を析出させ（図２（ｃ）参照）、次いで、周知のフォトエッチングプロセスにより、外層配線パターン３ａ、３ｂや実装パッド３ｃを形成した後、当該外層配線パターン３ａ、３ｂを保護するソルダーレジスト７を適宜形成することによって、図３（ｄ）に示した絶縁基板１を得る。
【００３２】
次に、金属片収容孔８内に「金属片９」を配置する工程であるが、本発明においては、以下に示す条件を満たす必要がある。
即ち、金属片収容孔８に配置した際に、金属片９の電子部品接続側露出面９Ａが、電子部品実装面側開口端の位置８Ａ以下の位置、より具体的には電子部品実装側面Ａの外層配線パターン３ａの外側面と同一面かそれより下の位置にあるとともに、当該金属片９の放熱体接続側露出面９Ｂが、放熱体配置面側開口端の位置８Ｂよりも凹んだ位置、より具体的には放熱体配置側面Ｂの層間接続層１０１の外側面よりも電子部品実装面側開口端の位置８Ａ側に凹んだ位置にある、という条件である。
当該金属片９を金属片収容孔８内に配置した際の電子部品接続側露出面９Ａの位置に関しては、流動性のある半田により補うことができるため、多少の寸法誤差があってもそれほど問題にはならないが、電子部品１１との半田接続性に影響が出ない範囲の深さ、例えば、電子部品実装面側開口端の位置８Ａから０〜４００μｍの深さとするのが望ましい。また、放熱体接続側露出面９Ｂの位置に関しては、放熱体との間の絶縁性を確保できる範囲の深さ、例えば、放熱体配置面側開口端の位置８Ｂから最低でも電子部品実装面側開口端の位置８Ａ側に１００μｍ凹んだ位置とするのが望ましく、他方、放熱性の観点からすると、所望とする放熱性を確保できる範囲の深さ、例えば、放熱体配置面側開口端の位置８Ｂからの深さを２００μｍ以下に抑えるのが望ましい。換言すれば当該深さとしては、放熱体配置面側開口端の位置８Ｂから１００〜２００μｍとするのが望ましい。
【００３３】
本発明では、このような厳しい条件（寸法精度）を満たした金属片を安定供給するために、ヘッダー工法で形成した金属片９を用いる必要がある。
因みに、ヘッダー工法は、銅などの金属棒を必要な体積に合わせてカットし、これを型に押し込むことによって、所望とする形状及び寸法のものを製造する、という工法であるため、金型プレスで金属板を打ち抜くといった打ち抜き工法と比較して、型の磨耗が殆ど発生せず、寸法精度の高い金属片９を安定して供給することができる。
【００３４】
斯かる金属片９を上記の位置に配置するために、当該金属片収容孔８の放熱体配置面側開口端の位置８Ｂよりも凹んだ位置に配置できる高さの突起部１７ａを有する冶具１７を用意した後、金属片収容孔８と突起部１７ａとの位置を合わせた状態で、当該治具１７を絶縁基板１の放熱体配置側面Ｂに配置し、次いで、当該金属片９（ヘッダー工法形成金属片）を、当該冶具１７の突起部１７ａを介して金属片収容孔８内に挿入する（図３（ｄ）参照）。因みに、金属片９の挿入手段としては、一般的なチップマウンターなどが利用できる。
【００３５】
そして最後に、金属片収容孔８の内壁と金属片９との間にできる隙間１６（例えば、当該金属片９が金属片収容孔８の中央に配置されたと仮定した場合にできる寸法は、片側で５０〜８０μｍ程度）に接着剤１０を供給して、当該金属片９を金属片収容孔８内に固定配置し（図３（ｅ）、図４参照）、絶縁基板１の放熱体配置側面Ｂに配置されている治具１７を外すことによって、図３（ｆ）に示した本発明のプリント配線板ＰＷを得る。
【００３６】
本発明において最も注目すべき点は、金属片収容孔８内に配置する金属片９として、寸法精度の高いヘッダー工法で製造したものを配置するようにした点にある。
これにより、金属片９が電子部品実装面側開口端の位置８Ａや放熱体配置面側開口端の位置８Ｂから突出したり、あるいは、金属片収容孔８内に寸足らずの金属片９が配置されたりすることによって発生する諸問題（電子部品の実装不良や放熱性、絶縁信頼性の低下等）を解消することができる。
【００３７】
さらに、金属片９の固定方法として、金属片収容孔８の内壁と金属片９との間にできる隙間１６に、接着剤１０を供給するという手段を採用したことも、本発明の特徴の一つとして上げられる。
これにより、圧入方式で見られた金属片収容孔の内壁にクラックが入るという問題を解消することができる。
【００３８】
本発明を説明するに当たって、金属片９を固定するための接着剤１０を、隙間１６の２箇所に供給する例（図４参照）を示したが、絶縁基板１の放熱体配置面Ｂ側に流出せずに固定できれば、これ以上の箇所（全周も含む）に接着剤を供給しても特に問題はない。
【００３９】
また、金属片収容孔８の例として、内壁にめっき１０３が形成されていない構成を用いて説明したが、当該めっき１０３を形成することも勿論可能である。
ただし、めっき１０３の厚みバラツキが大きい場合、当該金属片９がめっき１０３の突出部に引っ掛かり、挿入ミスなどが発生する可能性があるため、当該めっき１０３を形成しない構成とするのが望ましいといえる。
【符号の説明】
【００４０】
１：絶縁基板
１ａ：コア基板
１ｂ：ビルドアップ層
２：内層配線パターン
３ａ、３ｂ：外層配線パターン
３ｃ：実装パッド
４：ベリードホール
５：貫通めっきスルーホール
５ａ：貫通孔
６：ブラインドバイアホール
６ａ：非貫通孔
７：ソルダーレジスト
８：金属片収容孔
８Ａ：電子部品実装面側開口端の位置
８Ｂ：放熱体配置面側開口端の位置
９、９９：金属片
９Ａ、９９Ａ：電子部品接続側露出面
９Ｂ、９９Ｂ：放熱体接続側露出面
９９ａ：凹部
９９ｂ：凸部
１０：接着剤
１１：電子部品
１２：端子
１３：半田
１４：放熱体
１５：熱伝導性接着剤
１６：隙間
１００：コア絶縁層
１０１：層間接続層
１０２：金属箔
１０３：めっき
Ａ：電子部品実装側面
Ｂ：放熱体配置側面
ＰＷ、Ｐｗ：プリント配線板
ＰＣ、Ｐｃ：プリント回路基板
【図１】
2018157059.tif 000003
【図２】
2018157059.tif 000004
【図３】
2018157059.tif 000005
【図４】
2018157059.tif 000006
【図５】
2018157059.tif 000007
【図６】
2018157059.tif 000008
【図７】
2018157059.tif 000009